(57)【特許請求の範囲】
【請求項１】
光源と、前記光源からの光を液晶パネルに結像させる照明光学系とを有し、
前記照明光学系に、入射光からＰ偏光とＳ偏光を分離し、前記Ｐ偏光と前記Ｓ偏光のいずれか一方について１／２波長板を通過させる事によって出射光の偏光方向を揃える偏光変換素子を含んだ投射型画像表示装置において、
前記１／２波長板は、一軸結晶の光軸を斜めに切断して位相差を発生させた同一の単板０次水晶波長板を２枚貼りあわせた構成であり、
前記偏光変換素子の左半分と右半分とで、前記１／２波長板を面内に１８０度回転させて光線と光軸の関係が点対称となるように配置した
投射型画像表示装置。
【請求項２】
光源と、前記光源からの光を液晶パネルに結像させる照明光学系とを有し、
前記照明光学系に、入射光からＰ偏光とＳ偏光を分離し、前記Ｐ偏光と前記Ｓ偏光のいずれか一方について１／２波長板を通過させる事によって出射光の偏光方向を揃える偏光変換素子を含んだ投射型画像表示装置において、
前記１／２波長板は、一軸結晶の光軸を斜めに切断して位相差を発生させた同一の単板０次水晶波長板を２枚貼りあわせた構成であり、
前記偏光変換素子の個々の前記１／２波長板を左右に分割し、分割した左側の部分と右側の部分とを面内に１８０度回転させて光線と光軸の関係が点対称となるように配置した
投射型画像表示装置。
【請求項３】
入射光からＰ偏光とＳ偏光を分離し、前記Ｐ偏光と前記Ｓ偏光のいずれか一方について１／２波長板を通過させる事によって出射光の偏光方向を揃える偏光変換素子において、
前記１／２波長板は、一軸結晶の光軸を斜めに切断して位相差を発生させた同一の単板０次水晶波長板を２枚貼りあわせた構成であり、
前記偏光変換素子の左半分と右半分とで、前記１／２波長板を面内に１８０度回転させて光線と光軸の関係が点対称となるように配置した
偏光変換素子。
【請求項４】
入射光からＰ偏光とＳ偏光を分離し、前記Ｐ偏光と前記Ｓ偏光のいずれか一方について１／２波長板を通過させる事によって出射光の偏光方向を揃える偏光変換素子において、
前記１／２波長板は、一軸結晶の光軸を斜めに切断して位相差を発生させた同一の単板０次水晶波長板を２枚貼りあわせた構成であり、
前記偏光変換素子の個々の前記１／２波長板を左右に分割し、分割した左側の部分と右側の部分とを面内に１８０度回転させて光線と光軸の関係が点対称となるように配置した
偏光変換素子。
【発明の詳細な説明】
【技術分野】
【０００１】
本発明は、照明光学系に位相差板を含んだ投射型画像表示装置、及び、偏光変換素子に関する。
【背景技術】
【０００２】
従来、会議や講義のプレゼンテーション資料を拡大投影する手段として、投射型画像表示装置（プロジェクタ）が使用されている。こうした用途の投射型画像表示装置は、家庭用途とは異なり明るい室内環境で使用される事が多い為、高輝度化が進んでいる。
【０００３】
また、低コスト化の為には小型化の傾向にあり、光学系における光密度は高まる一方である。光密度が上がれば冷却する為に冷却風量を多くする必要があるが、より静な装置が望まれている。このような投射型画像表示装置には、従来より、光の偏光状態を揃える為に照明光学系にＰＳ変換素子（偏光変換素子）が使用されている。
【０００４】
ＰＳ変換素子の構造は、ＰＢＳ（偏光ビームスプリッタ）膜でＰ偏光とＳ偏光を分離し、どちらか一方の偏光について１／２波長板を通過させ９０度回転させる事により、偏光状態を一方向に揃えるものである。この１／２波長板には一般的にポリカーボネートフィルムが使用されているが、光密度が上がるにつれて黄変や焼けによる光学特性の劣化が深刻な問題となってきた。
【０００５】
耐久性・耐熱性向上の為、ポリカーボネートフィルムに代わり水晶の波長板を使用したＰＳ変換素子も提案されている（特許文献１）。こうした波長板は、通常はある波長について位相差がλ／２となるように設計される為、有効波長帯域が狭くなる。
【０００６】
広帯域化の為に、波長板を複数枚方位を適当に変えて重ね合わせる方法が文献に示されており従来より知られている（結晶光学；応用物理学会光学懇話会編  森北出版株式会社初版１９７５年）。こうした技術を使用した水晶波長板も提案されている（特許文献２）。
【０００７】
【特許文献１】特開２００３−３０２５２３号公報
【特許文献２】特開２００４−１７０８５３号公報
【発明の開示】
【発明が解決しようとする課題】
【０００８】
特許文献１の様に水晶の光学軸を面内に含む構成で１／２波長板を作成した場合、０次の波長板とするには２枚の水晶板が必要である。この２枚構成の波長板を使用したＰＳ変換素子を実機に搭載すると、例えば緑色の波長について位相差λ／２となる様に設計されている為、赤色と青色については効率が落ち装置の色度が悪化する。広帯域化するにはさらに２枚構成の波長板が必要で、合計で４枚以上の水晶板を使用しなければならない。この場合、厚みが厚くなると共に高価となる。また、水晶が厚くなる事で装置に対する明るさへの影響が大きく高輝度化の為には不利である。
【０００９】
これに対し、水晶の光学軸を面内に含まず、光学軸に対して斜めに切断したウェーハ１枚で０次の波長板を作成する方法も従来から知られている。この場合広帯域化する為には、最低２枚のウェーハがあれば良く厚みやコストの面では有利である。しかし、軸を斜めに切断している為、光線の入射方向や角度により位相差が大きく変化してしまうという問題があった。入射光線角度や方向によって位相差が異なると、実機に搭載した際、全白画面で輝度ムラが発生してしまう。フィルム同等の光学特性を出すには特許文献２の様に複雑な設計となり、尚且つ厚みを極力薄くしなければならないという問題があった。厚みが薄くなればなるほど加工上の難易度は増し、歩留まりやコストへの影響が大きかった。
【００１０】
この様に、ＰＳ変換素子の１／２波長板に水晶波長板を用いた従来技術では、輝度・色度・ユニフォミティ・コストを同時に改善するには問題があった。
【００１１】
また、ここではＰＳ変換素子を例に挙げたが、投射型画像表示装置の照明光学系では、ＰＳ変換素子以外の場所でも位相差板を使用している。例えば、Ｒ，Ｇ，Ｂの液晶パネルの出射光を合成する色合成プリズムの手前では、Ｂチャンネル及びＲチャンネルの射出側偏光板からのＰ偏光を１／２波長板によってＳ偏光に変換している（Ｂチャンネル及びＲチャンネルの出射光がＳ偏光である場合は、Ｇチャンネルの射出側偏光板からのＳ偏光のみを１／２波長板によってＰ偏光に変換する事もある）。
【００１２】
また、投射型画像表示装置の照明光学系は偏光光学系であるため、１／２波長板に限らず色々な位相差板を使うケースがある（１／４波長板やλ板を使用するケースもあり得る）。
【００１３】
それらの位相差板に水晶波長板を用いた場合にも、投射型画像表示装置の輝度・色度・ユニフォミティ・コストを同時に改善する上では同様の問題がある。
【００１４】
本発明では、これらの課題を解決し、高輝度化に対応しながらも光学特性を劣化させる事のない投射型画像表示装置を安価に提供する事を目的とする。
【課題を解決するための手段】
【００１５】
この課題を解決するため、本発明は、光源と、前記光源からの光を液晶パネルに結像させる照明光学系とを有し、前記照明光学系に、入射光からＰ偏光とＳ偏光を分離し、前記Ｐ偏光と前記Ｓ偏光のいずれか一方について１／２波長板を通過させる事によって出射光の偏光方向を揃える偏光変換素子を含んだ投射型画像表示装置において、前記１／２波長板は、一軸結晶の光軸を斜めに切断して位相差を発生させた同一の単板０次水晶波長板を２枚貼りあわせた構成であり、前記偏光変換素子の左半分と右半分とで、前記１／２波長板を面内に１８０度回転させて光線と光軸の関係が点対称となるように配置したことを特徴とする。
また、本発明は、光源と、前記光源からの光を液晶パネルに結像させる照明光学系とを有し、前記照明光学系に、入射光からＰ偏光とＳ偏光を分離し、前記Ｐ偏光と前記Ｓ偏光のいずれか一方について１／２波長板を通過させる事によって出射光の偏光方向を揃える偏光変換素子を含んだ投射型画像表示装置において、前記１／２波長板は、一軸結晶の光軸を斜めに切断して位相差を発生させた同一の単板０次水晶波長板を２枚貼りあわせた構成であり、前記偏光変換素子の個々の前記１／２波長板を左右に分割し、分割した左側の部分と右側の部分とを面内に１８０度回転させて光線と光軸の関係が点対称となるように配置したことを特徴とする。
【００１６】
投射型画像表示装置の照明光学系の様々な場所での光の強度分布を解析すれば、角度的な広がりを持って分布する入射光には、その場所に応じて必ず何らかの偏りが発生している。
【００１７】
本発明に係る投射型画像表示装置は、照明光学系中の偏光変換素子に使用する１／２波長板を、一軸結晶の光軸を斜めに切断して位相差を発生させた同一の単板０次水晶波長板を２枚貼りあわせた構成とし、偏光変換素子の左半分と右半分とで、１／２波長板を面内に１８０度回転させて光線と光軸の関係が点対称となるように配置するか、あるいは偏光変換素子の個々の１／２波長板を左右に分割し、分割した左側の部分と右側の部分とを面内に１８０度回転させて光線と光軸の関係が点対称となるように配置することにより、投射型画像表示装置の輝度・色度・ユニフォミティ・コストを同時に改善するものである
【００１９】
次に、本発明は、入射光からＰ偏光とＳ偏光を分離し、前記Ｐ偏光と前記Ｓ偏光のいずれか一方について１／２波長板を通過させる事によって出射光の偏光方向を揃える偏光変換素子において、前記１／２波長板は、一軸結晶の光軸を斜めに切断して位相差を発生させた同一の単板０次水晶波長板を２枚貼りあわせた構成であり、前記偏光変換素子の左半分と右半分とで、前記１／２波長板を面内に１８０度回転させて光線と光軸の関係が点対称となるように配置したことを特徴とする。
また、本発明は、入射光からＰ偏光とＳ偏光を分離し、前記Ｐ偏光と前記Ｓ偏光のいずれか一方について１／２波長板を通過させる事によって出射光の偏光方向を揃える偏光変換素子において、前記１／２波長板は、一軸結晶の光軸を斜めに切断して位相差を発生させた同一の単板０次水晶波長板を２枚貼りあわせた構成であり、前記偏光変換素子の個々の前記１／２波長板を左右に分割し、分割した左側の部分と右側の部分とを面内に１８０度回転させて光線と光軸の関係が点対称となるように配置したことを特徴とする。
【００２０】
この偏光変換素子は、前述の本発明に係る投射型画像表示装置の偏光変換素子の構成を採用したものであり、この偏光変換素子を照明光学系に用いた投射型画像表示装置の輝度・色度・ユニフォミティ・コストを同時に改善することができる。
【発明の効果】
【００２１】
本発明によれば、投射型画像表示装置の輝度・色度・ユニフォミティ・コストを同時に改善し、高輝度化に対応しながらも光学特性を劣化させる事のない投射型画像表示装置を安価に提供する事ができるという効果が得られる。
【発明を実施するための最良の形態】
【００２２】
以下、本発明の実施の形態を、図面を用いて具体的に説明する。図１は、本発明を適用した投射型画像表示装置（プロジェクタ）の光学系の基本構成を示す模式図である。
【００２３】
超高圧水銀ランプ等を用いた光源１からの白色の自然光が、リフレクタ２で反射され、リフレクタ２の光射出面を覆う防爆ガラス３を通って、４のＵＶカットフィルタへ入射する。ＵＶカットフィルタ４では、紫外線が反射によってカットされる。ＵＶカットフィルタ４を射出した光は、インテグレータを構成する第一及び第二のフライアイレンズ５及び６のうちの第一フライアイレンズ５に入射し、さらに第二フライアイレンズ６で集光されて、ＰＳ変換素子７に入射する。
【００２４】
ＰＳ変換素子７を射出した光は、コンデンサーレンズ８で集光されて、ＧＲ反射ダイクロイックミラー９に入射する。
【００２５】
ＧＲ反射ダイクロイックミラー９は、青色光を透過させ、緑色光及び赤色光を反射する。ＧＲ反射ダイクロイックミラー９を透過した青色光は、ＵＶ吸収フィルタ１３で紫外線を吸収によりカットされ、青色光用の反射ミラー１４で反射され、青色光用のコンデンサーレンズ１８で集光された後、入射側偏光板２１を透過し、青色表示用の液晶パネル２４に入射する。
【００２６】
ＧＲ反射ダイクロイックミラー９で反射された緑色光及び赤色光は、Ｇ反射ダイクロイックミラー１０に入射する。Ｇ反射ダイクロイックミラー１０は、緑色光を反射し、赤色光を透過させる。Ｇ反射ダイクロイックミラー１０で反射された緑色光は、緑色光用のコンデンサーレンズ１９で集光された後、入射側偏光板２２を透過し、緑色表示用の液晶パネル２５に入射する。
【００２７】
Ｇ反射ダイクロイックミラー１０を透過した赤色光は、第一リレーレンズ１１を通過し、赤色光用の反射ミラー１２で反射され、Ｒ透過フィルタ１５で赤色光以外の成分を除かれ、第二リレーレンズ１６を透過して赤反射ミラー１７で反射され、赤色光用のコンデンサーレンズ２０で集光された後、入射側偏光板２３を透過し、赤色表示用の液晶パネル２６に入射する。
【００２８】
液晶パネル２４、２５、２６に入射した青色光、緑色光、赤色光は、それぞれＲ、Ｇ、Ｂの映像信号のレベルに応じて変調される。液晶パネル２４、２５、２６を射出した青色光、緑色光、赤色光は、それぞれ射出側偏光板２７、２８、２９に入射する。射出側偏光板２７、２８、２９は、Ｐ偏光のみを透過させる。
【００２９】
射出側偏光板２７、２９を透過した青色光、赤色光は、それぞれ１／２波長フィルム３０、３１でＰ偏光からＳ偏光に変換されて、色合成プリズム３２に入射する。射出側偏光板２８を透過した緑色光は、そのまま色合成プリズム３２に入射する。色合成プリズム３２では、Ｐ偏光が透過し、Ｓ偏光がＰ偏光と同じ方向に反射されることにより、緑色光と青色光と赤色光とが合成される。色合成プリズム３２を射出した光は、投射レンズ３３からスクリーン（図示略）へ拡大投影される。
【００３０】
図１３は、図１のＰＳ変換素子７の基本構成を示す図である。ＰＳ変換素子７は、多数の小さなプリズム４１を第二フライアイレンズ６の各レンズ６ａに対応させて貼り合わせたものであり、その貼り合わせ面には、レンズ６ａの中央部からの出射光のうちＰ偏光を通過させてＳ偏光を反射するＰＢＳ（偏光ビームスプリッタ）面４１ａと、ＰＢＳ面４１ａで反射されたＳ偏光を図１のコンデンサーレンズ８に向けて反射する反射面４１ｂとが交互に形成されている。プリズム４１のうち、透過したＰ偏光が出射する面には、１／２波長板４２が貼られている。また、プリズム４１のうち、レンズ６ａの周辺部からの出射光が入射する面には、遮光板４３が貼られている。
【００３１】
各レンズ６ａの中央部からの出射光のうち、Ｐ偏光はＰＢＳ面４１ａを透過した後１／２波長板４２でＳ偏光に変換されてコンデンサーレンズ８に向けて射出され、Ｓ偏光はＰＢＳ面４１ａ，反射面４１ｂで反射された後コンデンサーレンズ８に向けて射出される。したがって、ＰＳ変換素子７への入射光（自然光）が、Ｓ偏光に偏光方向を揃えてＰＳ変換素子７から射出される。
【００３２】
なお、このＰＳ変換素子７は、１／２波長板４２に水晶を用いたものであるが、その配置に特徴を有している。以下では、この１／２波長板４２の配置を説明する前に、そうした配置を採用した理由をまず説明する。
【００３３】
図２は、図１の照明光学系における光線の状態を概念図で示したものである。（この図は、基本的な概念を示す為のものであり、設計の詳細を表したものではない。）
【００３４】
光源１から発せられた光は、リフレクタ２で反射し、第一フライアイレンズ５に入射して多数の光束に分割された後、対応する第二フライアイレンズ６に入射し、各液晶パネル２４〜２６上に重ね合わされて結像される。それぞれの角度を持った光は液晶パネル２４〜２６上では図の様に結像する為、液晶パネル２４〜２６上での光の強度分布はＰＳ変換素子７に入射する光の角度分布を反映しているといえる。
【００３５】
ＰＳ変換素子７の出射面の１／２波長板（図１３の１／２波長板４２）に入射する光に着目すると、光線の角度は数度の広がりを持って分布している。また、強度も一定ではなく、ある偏りを持って分布している。この偏りは光源１からの光の強度分布とフライアイレンズ５，６の設計に依存している。一般的な設計の場合、中心から外側へ向かう方向の光が強いが、偏芯を持たせている場合は、逆に外側から内側へ向かう方向の光が強い場合もある。今回は、後者の場合について、ＰＳ変換素子７１／２波長板の軸方向を最適化した例を中心に説明する。
【００３６】
図３（ａ）は、ＰＳ変換素子７の１／２水晶波長板４２を光の入射側から見た模式図である。単板０次水晶波長板を、波長５２０ｎｍで位相差がλ／２となる厚みで設計し、同じものをＡ・Ｂ２枚用意する。それを４５度ずらして貼り合せ、図の様に基準面に対しＡウェーハが２２．５度の角度になる様に配置して、１／２水晶波長板４２を構成した。
【００３７】
図３（ｂ）は、図３（ａ）の構成の１／２水晶波長板４２の視野角特性を、アイソルミナンスコンター（等輝度曲線）で表示した図である。１／２水晶波長板４２は視野角特性に偏りがあるのが分かる。
【００３８】
図３（ｃ）は、図３（ｂ）の視野角特性を方位角１３５度−３１５度の断面図で切った透過率を示している。波長４５０ｎｍ（青色光）、５５０ｎｍ（緑色光）、６５０ｎｍ（赤色光）の３種類の波長について透過率を示した。極角度±６度付近に着目すると、方位角３１５度方向の光に対しては極角度が大きくなると３波長とも透過率が落ちていくのに対し、方位角１３５度方向では、青の光のみ透過率が低下している。
【００３９】
これをプロジェクタに対する現象で考えた場合、方位角３１５度方向では明るさが低下し、方位角１３５度方向については青の効率が緑と赤に対して悪くなる為、色度が悪化する事を意味している。明るさに関しては緑が支配的である為、青のみ効率が下がっても明るさへの影響は少ない。
【００４０】
この様に視野角特性に偏りがある波長板を装置に搭載すると、入射する光線の方向や角度、強度によって輝度ムラが発生したり、色度ユニフォミティが悪化する。
【００４１】
図４（ａ）は、仮に、ＰＳ変換素子７の出射面に、図３（ａ）の構成の１／２波長板４２を軸方向を揃えて一様に配置したとした場合の模式図であり、光学系を上面より眺めている。図４（ｂ）は、図４（ａ）の各１／２波長板４２を光の入射側から見た模式図である。
【００４２】
この図４の状態で、スクリーン上に全白画面を投影すると、画面対角に濃いムラが発生してしまう。色度ユニフォミティを測定すると図５の様になり、リファレンスとして用いている通常のフィルムタイプのＰＳ変換素子と比べると、悪化しているのが分かる。
【００４３】
この原因を調べる為にＰＳ変換素子７の入射側から見て左半分を遮光して右半分から光を透過させた場合と、右半分を遮光して左半分から光を透過させた場合とについて明るさを測定し比較を行った。結果は、右半分からの透過光が、左半分からの透過光に対して３％暗い事が判明した。
【００４４】
逆に、図１４（ａ）のように光の入射側から見て右半分を遮光したＰＳ変換素子７を、図１４（ｂ）のように上下逆さにして光学系に入れると、明るさは回復した。この状態では、ＰＳ変換素子７は面内に１８０度回転した事になるので、光線が点対称に分布していると考えると、光線と水晶波長板の光学軸との関係は回転の前後で変わっていない。この時、光は光学系の右半分からの透過光になるので、右半分がもとから暗いのではなく、波長板の影響によって差が出ている事を意味している。
【００４５】
図４（ａ）の模式図において、光の振舞いを考える。評価に使用した光学系については、入射側から見て外側から中心方向に向かう角度の光が強い。したがって、図４（ａ）において丸で囲んだαの部分では、右方向に向かう光Ｌ１が強く、左方向に向かう光Ｌ２が弱い。図４（ａ）において丸で囲んだβの部分では、逆に、左方向に向かう光Ｌ２が強く、右方向に向かう光Ｌ１が弱い。
【００４６】
前記のＰＳ変換素子の片側半分を遮光して明るさを比較する実験は、図４での上半分と下半分の効率を調べた事になり、丸で囲んだα，βの部分の光線と水晶光学軸の関係について、どちらが変換効率が良いのか調べている事になる。αの部分は、左方向に向かう光Ｌ２よりも右方向に向かう光Ｌ１が強いので、右方向に向かう光Ｌ１に対する波長板の効率である。βの部分は、左方向に向かう光Ｌ２が強いので、左方向に向かう光Ｌ２に対する波長板の効率である。結果からは、αの部分の光線と水晶光学軸の関係のほうが、βの部分の光線と水晶光学軸の関係よりも有利である。
【００４７】
波長板の視野角特性は図３（ｂ）に示した通りなので、入射側から考えると、左半分の透過率が、右半分の透過率よりも良い。この波長板を図４に当てはめて考えると、αのケースでは、強い光である光Ｌ１が左半分から入射している事になり、強い光の透過率を上げる方向で配置されている事になる。βのケースでは、強い光である光Ｌ２が右半分から入射する事になるので、透過率が落ち暗くなる事で、シミュレーション結果と実測での辻褄が合っている。
【００４８】
この事から考えると、図４（ａ）のβの部分の水晶波長板の配置を、光線と水晶光学軸の関係がαの部分と同じパターンになるように変更（面内に１８０度回転）すれば、左右とも光線に対する効率が良くなるはずである。
【００４９】
次に、以上のような検討の結果採用した図１のＰＳ変換素子７の１／２波長板４２の配置の具体例を説明する。
【００５０】
図６（ａ）は、ＰＳ変換素子７における１／２波長板４２の配置例を示す模式図であり、光学系を上面より眺めている。波長板の軸方向を、入射光線の角度・強度分布に対して有利になる様に配置している。有利な方向とは即ち、１／２波長板として光の回転効率が良くなり、クロスニコル状態で透過率が良くなる方向である。
【００５１】
図６（ｂ）は、図６（ａ）のαの部分の１／２波長板４２を光の入射側から見た模式図である（「前」という文字を付した光学軸が、入射側から見て手前の水晶波長板の光学軸である）。αの部分の１／２波長板４２の配置は、図４に示したのと同じ視野角特性を示す波長板を使用している。
【００５２】
図６（ｃ）は、図６（ａ）のβの部分の１／２波長板４２を光の入射側から見た模式図である。βの部分の１／２波長板４２は、αの部分の１／２波長板４２を面内に１８０度回転させた状態で点対称になるように配置している。
【００５３】
この図６の状態でスクリーン上に全白画面を投影し、色度ユニフォミティを測定すると、図７の様になる。図５と比較して、ムラが改善されたのが分かる。この結果から、光線の角度分布に対して有利になるように水晶の軸方向を配置してやれば、輝度ムラや色度ユニフォミティが改善されることが分かった。
【００５４】
以上の図３及び図６の１／２波長板４２の構成及び配置の組合せから、光線の方向に対して水晶光学軸の方向が有利に働く別の構成及び配置の組合せを考えてみる。図８は、図３（ｂ）と同様の視野角特性が得られる１／２波長板４２の構成のパターン（単板０次水晶波長板Ａ・Ｂの貼り合せのパターン）を、光の入射側から見た模式図である。図３（ａ）のパターンの他に、図８（ａ），（ｂ），（ｃ）の３パターンが存在する。この合計４パターンについて、ＰＳ変換素子７の右半分と左半分とで点対称になるように面内に１８０度回転させた配置の組合せが、図９（ａ）のようにそれぞれ１通りずつ（合計４通り）存在する。
【００５５】
また、光線の角度分布は基本的には同心円上に広がっていると考えると、図９（ａ）の各配置をそれぞれ面内に９０度回転させても視野角特性は同じなので、図９（ｂ）のような４通りの配置の組合せも存在する。
【００５６】
また、図９（ｂ）の配置の組合せを図９（ｃ）のように入れ替えても視野角特性は同じなので、さらに４通りの配置の組合せが存在する。
【００５７】
また、図９（ｃ）の各配置の組合せをそれぞれ面内に９０度回転させても視野角特性は同じなので、図９（ｄ）のような４通りの配置の組合せも存在する。
【００５８】
したがって、光線の方向に対して水晶光学軸の方向が有利に働く配置の組合せは、全部で１６通り存在する。
【００５９】
図１０は、図６の場合のＰＳ変換素子７への１／２波長板４２の貼り付けの様子を、光の入射側から見た図である。ＰＳ変換素子７の右半分と左半分とで、１／２波長板４２を向きを変えて（左半分の１／２波長板４２を基準として見た場合、右半分の１／２波長板４２を面内に１８０度回転させて）貼り付けている。
【００６０】
また、ＰＳ変換素子７の右半分、左半分ではなく、１／２波長板４２の短冊１つ１つを光の入射側から見て左右に分割し、分割した左側の部分と右側の部分とで図９のような配置の組合せを行う事も有効である。図１１は、そうした配置の組合せの例を図６と同様に模式的に示す図である。このようにすることにより、さらに１６通りの配置の組合せが増えることになる。
【００６１】
また、水晶は単結晶である為、育成する大きさに限界がある。また、ウェーハが大きくなればなるほど、薄く研磨する技術も難しくなる。この事から、大きなＰＳ変換素子については、１／２波長板を上下に分割して組合わせる方法も有効である。
【００６２】
１／２波長板を分割する場合、光が同心円状に広がっている事を考慮し、点対称に軸方向を最適化すると良い。偏芯により、点対称でない場合は、１／２波長板に入射する光線の角度と強度に合わせて配置を最適化すると良い。図１２は、外側から内側へ向かう方向の光が強い照明光学系を前提とし、１つ１つの１／２波長板４２を上下に分割して点対称に配置した場合の、ＰＳ変換素子７への１／２波長板４２の貼り付けの様子を、光の入射側から見た図である。
【００６３】
光の角度分布・強度分布が点対称であると考えた場合、ＰＳ変換素子７の或る１／４面での１／２波長板４２の配置を最適化した後、この図１２のように、そこから９０度ずつ回転させて残りの各１／４面での１／２波長板４２の配置を決めていけばよい。また、ＰＳ変換素子７の手前のインテグレータを構成するフライアイレンズの偏芯等によって光の強度分布が点対称になっていない場合は、その強度に合わせて残りの各１／４面の１／２波長板４２の配置を最適化すればよい。
【００６４】
図１２では１つ１つの１／２波長板４２を上下に２等分に分割しているが、上下に３つ以上に分割して、それぞれの大きさを異ならせてもよい。また、フライアイレンズの設計によっては、２分割する場合でも、等分に分割せずにそれぞれの大きさを異ならせてもよい。
【００６５】
以上の実施の形態では、外側から内側へ向かう方向の光が強い照明光学系を前提としたので図９、図１１、図１２の配置となったが、逆に内側から外側へ向かう方向の光が強い照明光学系の場合には、配置も逆になる。波長板単体の視野角特性と照し合わせて、強い光の透過率が良くなる方向に配置すれば良い。照明光学系の設計思想により、光線角度分布も幅がある。今回の発明は、光線の角度が大きい程、効果を発揮する。また、強度の偏りが大きい程、効果がある。
【００６６】
上記の様にＰＳ変換素子出射面の光線角度・強度分布に着目して、有利になるように水晶の軸角度を配置すれば、波長板単体での光学特性があらゆる光線角度に対して均一でなくても、輝度ムラを発生させないで使用する事ができる。以上の実施の形態では１／２波長板４２を構成する１枚１枚の水晶波長板を波長５２０ｎｍで位相差がλ／２となる厚みで設計したが、例えば水晶波長板を波長４８０ｎｍで位相差がλ／２となるようにし、２枚の合計厚みは０．３ｍｍ程度とすれば、さらにユニフォミティを改善でき、使用上フィルム同等の特性が出せる。また、光線角度依存もさらに軽減でき、明るさも確保できる。
【００６７】
水晶波長板単体に着目すると、特許文献２の様に複雑な設計ではなく、同じウェーハを２枚作成し、組合わせればよい為コストメリットがある。又、厚みも厚くできる為加工上の難易度が軽減し、より実用化にはメリットがある。このＰＳ変換素子７を利用することにより、冷却風を減らす・又は無くす事ができファンノイズ低減・静音化にも効果がある。
【００６８】
以上の実施の形態では透過型プロジェクタに本発明を適用しているが、照明光学系の設計は透過型プロジェクタでも反射型プロジェクタでも基本的には同じである為、本発明は反射型プロジェクタにも適用することができる。
【００６９】
また、以上の実施の形態では、正の一軸結晶である水晶を１／２水晶波長板４２に用いているが、光軸を斜めにカットして位相差を発生させる事ができる一軸結晶であれば、水晶でなくても（例えば方解石でも）同様の効果が得られる。
【００７０】
あるいはまた、ＰＳ変換素子７の１／２波長板４２に、一軸結晶以外の無機材料またはその他の材料であって視野角特性に偏りのあるものを用い、角度的な広がりを持って分布する入射光のうち、強度が強い方向の光について変換効率が良くなる方向に１／２波長板４２を配置するようにしてもよい。
【００７１】
また、以上の実施の形態では、ＰＳ変換素子の１／２波長板に、本発明に係る投射型画像表示装置の位相差板の構成を採用している。しかし、プロジェクタの照明光学系では、ＰＳ変換素子以外の場所でも位相差板を使用している。例えば、図１に示したように、色合成プリズム３２の手前では、射出側偏光板２７、２９からの青色光、赤色光をそれぞれ１／２波長フィルム３０、３１でＰ偏光からＳ偏光に変換している。
【００７２】
また、投射型画像表示装置の照明光学系は偏光光学系であるため、１／２波長板に限らず色々な位相差板を使うケースがある（１／４波長板やλ板を使用するケースもあり得る）。
【００７３】
そして、プロジェクタの照明光学系の様々な場所での光の強度分布を解析すれば、角度的な広がりを持って分布する入射光には、その場所に応じて必ず何らかの偏りが発生している。
【００７４】
そこで、照明光学系中のＰＳ変換素子以外の場所で用いられる位相差板として、視野角特性に偏りがある位相差板を用い、その位相差板の配置方向を、その場所における光の強度分布の偏りに応じて最適化する（強度が強い方向の光について所望の位相差が発生する方向に配置する）ようにしてもよい。そうすることにより、以上に説明したのと全く同様にして、プロジェクタの輝度・色度・ユニフォミティ・コストを同時に改善することができるようになる。
【図面の簡単な説明】
【００７５】
【図１】本発明を適用した投射型画像表示装置の光学系の基本構成を示す模式図である。
【図２】図１の照明光学系における光線の状態を示す概念図である。
【図３】図１のＰＳ変換素子に用いる１／２波長板の構成及び視野角特性を示す図である。
【図４】図１のＰＳ変換素子の出射面に、図３の構成の１／２波長板を軸方向を揃えて一様に並べた場合の模式図である。
【図５】図４の状態での色度ユニフォミティの測定結果を示す図である。
【図６】図１のＰＳ変換素子の１／２波長板の配置例を示す模式図である。
【図７】図６の状態での色度ユニフォミティの測定結果を示す図である。
【図８】図１のＰＳ変換素子の１／２水晶波長板の構成のパターンを示す図である。
【図９】図８の各パターンについての１／２水晶波長板の配置の組合せを示す図である。
【図１０】図６の場合のＰＳ変換素子への１／２波長板の貼り付けの様子を示す図である。
【図１１】１つ１つの１／２波長板を左右に分割して配置の組合せを行った例を示す模式図である。
【図１２】１つ１つの１／２波長板を上下に分割して対称に配置した場合の、ＰＳ変換素子への１／２波長板の貼り付けの様子を示す図である。
【図１３】図１のＰＳ変換素子の基本構成を示す図である。
【図１４】右半分を遮光したＰＳ変換素子を上下逆さにした状態を示す図である。
【符号の説明】
【００７６】
１  光源、  ２  リフレクタ、  ５  第一フライアイレンズ、  ６  第ニ一フライアイレンズ、  ７  ＰＳ変換素子、  ４２  １／２水晶波長板
【図１】
0005245374.tif 000002
【図２】
0005245374.tif 000003
【図３】
0005245374.tif 000004
【図４】
0005245374.tif 000005
【図５】
0005245374.tif 000006
【図６】
0005245374.tif 000007
【図７】
0005245374.tif 000008
【図８】
0005245374.tif 000009
【図９】
0005245374.tif 000010
【図１０】
0005245374.tif 000011
【図１１】
0005245374.tif 000012
【図１２】
0005245374.tif 000013
【図１３】
0005245374.tif 000014
【図１４】
0005245374.tif 000015